(57)【要約】    【課題】  撮影レンズと可動ミラーとが干渉して、可動ミラーが破損するのを防止しつつ、光学ファインダーを用いた撮影と、ライブビュー撮影とを選択して撮影することができるカメラを得ること。    【解決手段】  マウント手段と、撮影光路中から退避可能に撮影光路中に設けた可動ミラーと、撮像素子と、該撮像素子で得られた像に基づく画像情報を表示する表示手段と、を有するカメラにおいて、撮影レンズの該マウント手段への装着に際して該撮影レンズの一部が該可動ミラーと干渉するか否かを検知する検知手段と、該検知手段からの信号に基づいて、該可動ミラーを撮影光路中から退避させるとともに、該可動ミラーが撮影光路中から退避したときには、該撮像素子で得られる像に基づく画像情報を該表示手段に表示すること。【選択図】図１
2008129402.tif 000002
【特許請求の範囲】
【請求項１】
撮影レンズを着脱可能とするマウント手段と、
撮影光路中から退避可能に撮影光路中に設けた可動ミラーと、
撮影レンズによって形成される像を光電変換する撮像素子と、
該撮像素子で得られた像に基づく画像情報を表示する表示手段と、
を有するカメラにおいて、
撮影レンズの該マウント手段への装着に際して
該撮影レンズの一部が該可動ミラーと干渉するか否かを検知する検知手段と、
該検知手段からの信号に基づいて、該可動ミラーを撮影光路中から退避させることと、該可動ミラーが撮影光路中から退避したときには、該撮像素子で得られる像に基づく画像情報を該表示手段に表示することを制御する制御手段と、
を有することを特徴とするカメラ。
【請求項２】
前記検知手段は、前記撮影レンズが前記マウント手段に装着されるとき、又は装着された後に該撮影レンズの鏡筒の一部が光軸方向へ移動したときに、該撮影レンズの鏡筒の一部の接触によって該撮影レンズのバックフォーカスが短いことを検知するスイッチ部材を有することを特徴とする請求項１のカメラ。
【請求項３】
前記可動ミラーで反射した光で形成される像を観察するための光学ファインダーを有することを特徴とする請求項１又は２のカメラ。
【請求項４】
撮影レンズを着脱可能とするマウント手段と、
撮影光路中から退避可能に撮影光路中に設けた可動ミラーと、
撮影レンズによって形成される像を光電変換する撮像素子と、
該撮像素子で得られた像に基づく画像情報を表示する表示手段と、
を有するカメラにおいて、
撮影レンズの該マウント手段への装着に際して
該撮影レンズの一部が該可動ミラーと干渉するか否かの情報を該撮影レンズ側から受信する受信手段と、
該受信手段からの信号に基づいて、該可動ミラーを撮影光路中から退避させることと、該可動ミラーが撮影光路中から退避したときには、該撮像素子で得られる像に基づく画像情報を該表示手段に表示することを制御する制御手段と、
を有することを特徴とするカメラ。
【請求項５】
前記受信手段は、前記マウント手段に設けた電気接点を有し、該電気接点を介して撮影レンズ側から送られてくる信号を受信することを特徴とする請求項４のカメラ。
【請求項６】
前記制御手段は、前記受信手段からの信号に基づいて、前記可動ミラーを撮影光路中から退避させた後に前記撮影レンズの鏡筒の一部を光軸方向に移動させることを特徴とする請求項４のカメラ。
【請求項７】
前記可動ミラーはハーフミラー面より成り、該ハーフミラー面を通過し、前記撮像素子で得られる像を観察する為の電子ビューファインダーを有することを特徴とする請求項４、５又は６のカメラ。
【発明の詳細な説明】
【技術分野】
【０００１】
本発明は、バックフォーカスの異なる種々の撮影レンズを着脱可能に装着し、光学ファインダーを利用した撮影と、ライブビュー撮影とを選択することができるカメラに関する。
【背景技術】
【０００２】
一眼レフカメラには、撮影レンズと撮像素子との間に、被写体からの光束であって撮影レンズを通過した光束をファインダー光学系に導くためのクイックリターンミラーや、焦点検出装置に導くためのサブミラーなどの可動ミラーが設けられている。
【０００３】
この可動ミラーは、レリーズ釦が操作されたときの撮影中以外は、撮影レンズの光軸上に傾斜配置されている。そして撮影レンズを通過した被写体からの光束をファインダー光学系や焦点検出装置へ導光している。
【０００４】
近年、撮影レンズを通過した被写体からの光束を撮像し、画像データを出力する撮像素子と、撮像素子から出力された画像データに応じて画像をＬＣＤ等に表示する表示手段とを備えたデジタル一眼レフカメラが多く提案されている。
【０００５】
デジタル一眼レフカメラとして、光学ファインダーを用いて被写体を観察して撮影する代わりに、撮像素子で撮像した画像データを表示手段に表示し、表示手段上の画像を観察しながら撮影するライブビュー撮影が可能なものが提案されている。
【０００６】
ライブビュー撮影時には可動ミラーは撮影光路中から退避（ミラーアップ）する。このためライブビュー撮影のみを行うカメラの場合には、可動ミラーの配置スペースが不要となる。
【０００７】
ライブビュー撮影のみを行うカメラでは可動ミラーをミラーアップした状態とするので、このカメラに着脱可能に装着する撮影レンズは、バックフォーカスが短いことがカメラの小型化に有効である。
【０００８】
可動ミラーを撮影光路中に配置したカメラにバックフォーカスの短い撮影レンズを装着する場合、可動ミラーを撮影光路中から退避させる（ミラーアップ）必要がある。
【０００９】
このときは事前に使用者側（撮影者側）でミラーアップを行う必要がある。この操作を忘れて、バックフォーカスの短い撮影レンズをカメラに取り付けようとすると可動ミラーと撮影レンズの一部が接触して、可動ミラーを破損させる場合がある。
【００１０】
これに対して撮影レンズのバックフォーカスの長短に関わらず、撮影レンズをカメラに装着したとき、撮影レンズの鏡筒と可動ミラーとの干渉を回避するようにした一眼レフレックスカメラシステムが知られている（特許文献１）。
【００１１】
特許文献１では、撮影レンズのカメラの非装着時の初期設定において、可動ミラーは、撮影光路外に位置している。
【００１２】
そしてバックフォーカスの長い撮影レンズをカメラに装着したときのみ、可動ミラーを駆動させて撮影光路内に位置するようにしている。
【００１３】
又、バックフォーカスの短い撮影レンズをカメラに装着したときには、可動ミラーを不動としている。
【００１４】
この動作を撮影レンズに設けた信号手段（ＲＯＭ）から発せられるレンズ識別情報をカメラ側の電子回路で検出し、判断して行っている。
【特許文献１】特開平１１−３５２５８５号公報
【発明の開示】
【発明が解決しようとする課題】
【００１５】
特許文献１では初期設定において、可動ミラーが撮影光路外に退避している。このためバックフォーカスの長い撮影レンズをカメラに装着した場合、カメラ側の電源がＯＦＦであると、駆動手段が動かず可動ミラーが撮影光路内に移動しない。
【００１６】
即ち可動ミラーが撮影光路外に退避したままとなるので光学ファインダーで像を観察することができない。
【００１７】
本発明は、カメラ側の可動ミラー駆動用の電源がＯＦＦの状態で、バックフォーカスの長い撮影レンズをカメラに装着した場合であっても光学ファインダーでの像の観察ができるカメラの提供を目的とする。更に撮影レンズと可動ミラーとが干渉して、可動ミラーが破損するのを防止しつつ、光学ファインダーを用いた撮影と、ライブビュー撮影とを選択して撮影することができるカメラの提供を目的とする。
【課題を解決するための手段】
【００１８】
本発明のカメラは、
撮影レンズを着脱可能とするマウント手段と、
撮影光路中から退避可能に撮影光路中に設けた可動ミラーと、
撮影レンズによって形成される像を光電変換する撮像素子と、
該撮像素子で得られた像に基づく画像情報を表示する表示手段と、
を有するカメラにおいて、
撮影レンズの該マウント手段への装着に際して
該撮影レンズの一部が該可動ミラーと干渉するか否かを検知する検知手段と、
該検知手段からの信号に基づいて、該可動ミラーを撮影光路中から退避させることと、該可動ミラーが撮影光路中から退避したときには、該撮像素子で得られる像に基づく画像情報を該表示手段に表示することを制御する制御手段と、
を有することを特徴としている。
【００１９】
この他、本発明は、
撮影レンズを着脱可能とするマウント手段と、
撮影光路中から退避可能に撮影光路中に設けた可動ミラーと、
撮影レンズによって形成される像を光電変換する撮像素子と、
該撮像素子で得られた像に基づく画像情報を表示する表示手段と、
を有するカメラにおいて、
撮影レンズの該マウント手段への装着に際して
該撮影レンズの一部が該可動ミラーと干渉するか否かの情報を該撮影レンズ側から受信する受信手段と、
該受信手段からの信号に基づいて、該可動ミラーを撮影光路中から退避させることと、該可動ミラーが撮影光路中から退避したときには、該撮像素子で得られる像に基づく画像情報を該表示手段に表示することを制御する制御手段と、
を有することを特徴としている。
【発明の効果】
【００２０】
本発明によれば、カメラ側の可動ミラー駆動用の電源がＯＦＦの状態で、バックフォーカスの長い撮影レンズをカメラに装着した場合であっても光学ファインダーでの像の観察ができる。更に撮影レンズと可動ミラーとが干渉して、可動ミラーが破損するのを防止しつつ、光学ファインダーを用いた撮影と、ライブビュー撮影とを選択して撮影することができるカメラが得られる。
【発明を実施するための最良の形態】
【００２１】
以下に、本発明のカメラの実施形態を添付の図面に基づいて説明する。
【実施例１】
【００２２】
図１は実施例１の要部概略図、図２は図１の要部ブロック図である。図１、図２において、１は第１のカメラ（撮像装置）である。
【００２３】
第１のカメラ１の筐体１ａには、撮影レンズを着脱可能に装着するマウント２が設けられている。又、レリーズ釦３ａ、電源釦（電源スイッチ）３ｂ、レンズ取り外し釦３ｃ、などの操作ボタン３が設けられている。更に撮影レンズによって撮影される画像情報を表示する表示手段（ＬＣＤ）４が設けられている。マウント２には、撮影レンズが装着されたとき、各種のデータのやりとりが可能な電気接点２ａが設けられている。
【００２４】
第１のカメラ１の内部には撮影光路中にあって光路中から退避可能なメインミラー（可動ミラー）５と、可動ミラー５の回転軸６に接続されたミラー駆動回路７と、複数の画素で構成される光電変換するＣＣＤより成る撮像素子８が設けられている。又、回路基板に形成された各種の動作を制御する電子回路（制御手段）９が設けられている。
【００２５】
さらに、被写体像の観察用として、ピント板１０、ペンタダハプリズム１１、接眼レンズ１２を有するファインダー光学系（観察系）１３が設けられている。
【００２６】
マウント２の直後の筐体１ａ内には可動ミラー５を駆動させるか否かを撮影レンズの装着に際して検知するミラーアップスイッチ(検知手段)１４が設けられている。
【００２７】
本実施例の可動ミラー５は、図１に示す如く初期設定において撮影光路中に配置されている(ミラーダウン)。第１のカメラ１に撮影レンズを装着するとき、撮影レンズのバックフォーカスが短くて、撮影レンズの鏡筒と可動ミラー５とが接触して可動ミラー５をアップ(撮影光路中より退避)させなくてはならない場合がある。このときのみ、撮影レンズの鏡筒の一部がミラーアップスイッチ１４を押し上げるようにしている。
【００２８】
即ち、ミラーアップスイッチ１４をＯＮするようにしている。
【００２９】
電源釦３ｂがＯＮの状態でミラーアップスイッチ１４が撮影レンズの鏡筒の一部で押下されると（ＯＮになると）、可動ミラー５のアップを行う制御信号が、ミラーアップスイッチ駆動回路１５と電子回路９を介してミラー駆動回路７へ送られる。
【００３０】
ミラー駆動回路７は電子回路（制御手段）９からの制御信号を受けて、可動ミラー５を回転軸６のまわりに回転し、可動ミラー５を撮影光路中から退避させる。
【００３１】
それに基づいて表示手段４が駆動され、表示手段４には、撮像素子８で撮像される像が表示されライブビュー撮影を可能としている。
【００３２】
ここで、電源釦３ｂがＯＦＦの状態ではミラーアップスイッチ１４に撮影レンズの鏡筒の一部が接触してもミラーアップスイッチ駆動回路１５によってロックされて、押下（ＯＮ）されないようにしている。これにより撮影レンズがマウント２に装着されないようにすることで可動ミラー５に撮影レンズの一部が接触しないようにして可動ミラー５の破損を防いでいる。
【００３３】
また、ミラーアップスイッチ１４が撮影レンズの鏡筒の一部で押下されると可動ミラー５がアップする。この結果、可動ミラーで反射した光による光学ファインダー像の観察ができなくなる。このときは電子回路９を介して表示手段（ＬＣＤ）４が起動することで撮影者はすぐに表示手段４で撮影像を観察することができるようにしている。これによりライブビュー撮影を始めることが出来る。
【００３４】
本実施例の第１のカメラ１はマウント２を介して図３に示す第１の撮影レンズ１０１と図４に示す第２の撮影レンズ１２１と図５に示す第３の撮影レンズ１４１の少なくとも３種類の撮影レンズの装着が可能である。
【００３５】
図３に示す第１の撮影レンズ１０１はバックフォーカスの長い（例えばバックフォーカスが３８mm以上）撮影レンズである。
【００３６】
図４に示す第２の撮影レンズ１２１はバックフォーカスの短い（例えばバックフォーカスが３８ｍｍ以下）撮影レンズである。
【００３７】
図５（ａ），（ｂ）に示す第３の撮影レンズ１４１は光学系が短縮状態１４１ａ（図５（ａ））と伸張状態１４１ｂ（図５（ｂ））との間で伸張可能である。そして、伸張状態１４１ｂにおいて、バックフォーカスの短い（例えばバックフォーカスが３８ｍｍ以下）撮影レンズである。
【００３８】
次に図１の第１のカメラ１に第１〜第３の撮影レンズ１０１、１２１、１４１を装着するときの第１のカメラ１の動作について説明する。
【００３９】
図３に示すように第１のカメラ１に第１の撮影レンズ１０１を装着する場合、第１の撮影レンズ１０１の鏡筒１０４はミラーアップスイッチ１４に触れない。このため、撮影者がレリーズ釦３ａを押すか、ライブビュー撮影モードに切り替えない限り可動ミラー５はダウンしたままである。
【００４０】
図４に示すように第１のカメラ１に第２の撮影レンズ１２１を装着する場合、装着の途中で第２の撮影レンズ１２１の鏡筒１２４はミラーアップスイッチ１４を押下する。このため、撮影光路中に配置されている可動ミラー５は光路中から自動的に退避される。このとき表示手段（ＬＣＤ）４を起動することによって、撮像素子８で得られる像が表示手段４に表示される。これによってライブビュー撮影が可能となる。
【００４１】
図５（ａ）、（ｂ）に示すように第１のカメラ１に第３の撮影レンズ１４１を装着する場合の動作は次のとおりである。図５（ａ）に示すように撮影レンズ１４１が短縮状態１４１ａで装着すると、撮影レンズ１４１の鏡筒１４４が光軸方向へ移動し、ミラーアップスイッチ（スイッチ部材）１４に触れない。
【００４２】
このため可動ミラー５はミラーダウンしたままとなる。この状態で図５（ｂ）に示すように撮影レンズ１４１を伸張状態１４１ｂにすると鏡筒１４４の一部がミラーアップスイッチ１４を押し下げる。
【００４３】
これによって可動ミラー５は光路中から退避する。このとき表示手段４を起動することによって撮像素子８で得られる像が表示手段４に表示される。これによってライブビュー撮影が可能となる。
【００４４】
尚、撮影レンズ１４１を伸張状態１４１ｂとしてカメラ１に装着しても良い。このときの動作は図４と同じになる。
【実施例２】
【００４５】
図６は実施例２の要部概略図、図７は図６の要部ブロック図である。図６、図７において、２１は第２のカメラ（撮像装置）である。
【００４６】
第２のカメラ２１の筐体２１ａには、撮影レンズを着脱可能に装着するマウント２２が設けられている。又、レリーズ釦２３ａ、電源釦（電源スイッチ）２３ｂ、レンズ取り外し釦２３ｃ、などの操作ボタン２３が設けられている。更に撮影レンズによって撮影される画像を表示する表示手段（ＬＣＤ）２４が設けられている。マウント２２には、撮影レンズが装着されたとき、各種のデータのやりとりが可能な電気接点２２ａが設けられている。
【００４７】
第２のカメラ２１の内部には撮影光路中にあって光路中から退避可能なメインミラー（可動ミラー）２５と、可動ミラー２５の回転軸２６に接続されたミラー駆動回路２７と、複数の画素で構成されるＣＣＤより成る撮像素子２８が設けられている。
【００４８】
又、回路基板に形成された各種の動作を制御する電子回路（制御手段）２９が設けられている。
【００４９】
さらに、被写体像の観察用として、ピント板３０、ペンタダハプリズム３１、接眼レンズ３２を有するファインダー光学系（観察系）３３が設けられている。
【００５０】
ここで、マウント２２内の電気接点２２ａは受信手段を構成し、電気接点２２ａを介して装着された撮影レンズ側から、その種類に関する信号が入力される。受信手段２２ａからの信号より電子回路２９によって、撮影レンズの種類を判別する。
【００５１】
電子回路２９によってミラーアップをすべき、バックフォーカスの短い撮影レンズであることを判別すると、電子回路２９はミラー駆動回路３５へミラーアップを行う制御信号を送る。ミラー駆動回路３５は電子回路２９からの制御信号を受けて、可動ミラー２５を回転軸２６まわりに回転し、撮影光路中から退避する。
【００５２】
その後、電子回路９を介して表示手段２４が起動することで表示手段２４には撮像素子２８で撮像される像が表示され撮影者はすぐにライブビュー撮影を始めることが出来る。
【００５３】
本実施例の可動ミラー２５は、図６に示す如く初期設定において撮影光路中に配置されている(ミラーダウン)。第２のカメラ２１に撮影レンズを装着するとき、撮影レンズのバックフォーカスが短くて、撮影レンズの鏡筒と可動ミラー２５とが接触して可動ミラー２５をアップ(撮影光路中より退避)させなくてはならない場合がある。このときのみ、電気接点２２ａを介して送られてくる信号（可動ミラーと干渉するか否かの情報）に基づいて電子回路２９は可動ミラー２５をアップするようにしている。
【００５４】
本実施例の第２のカメラ２１はマウント２２を介して図８に示す第１の撮影レンズ１０１と図９に示す第３の撮影レンズ１４１の少なくとも２種類の撮影レンズの装着が可能である。
【００５５】
図８に示す第１の撮影レンズ１０１はバックフォーカスの長い（例えばバックフォーカスが３８mm以上）撮影レンズである。
【００５６】
図９（ａ），（ｂ）に示す第３の撮影レンズ１４１は光学系が短縮状態１４１ａ（図９（ａ））と伸張状態１４１ｂ（図９（ｂ））との間で伸張可能である。そして、伸張状態１４１ｂにおいて、バックフォーカスの短い（例えばバックフォーカスが３８ｍｍ以下）撮影レンズである。
【００５７】
第３の撮影レンズ１４１は第２のカメラ２１に未装着の状態では短縮状態１４１ａである。そして、第２のカメラ２１に装着したときは、電気接点２２ａから電気を供給されることでモータ１４６によって鏡筒の一部が光軸方向に移動されて伸張状態１４１ｂへの移行が可能となっている。
【００５８】
次に第２のカメラ２１に第１，第３の撮影レンズ１０１、１４１を装着するときの第２のカメラ２１の動作について説明する。
【００５９】
図８に示すように第２のカメラ２１に第１の撮影レンズ１０１を装着する場合、第２のカメラ２１は撮影者がレリーズ釦２３ａを行うか、ライブビュー撮影モードに切り替えない限り可動ミラー５はダウンしたままである。
【００６０】
第２のカメラ２１に第３の撮影レンズ１４１を装着する場合、図９（ａ）に示す如く短縮状態１４１ａでカメラ２１に装着され、電子回路２９はマウント２２の電気接点２２ａを介して撮影レンズの種類を判別する。
【００６１】
電子回路２９で撮影レンズの種類を判別後、可動ミラーのアップ動作が行われ、電気接点２２ａを介して第３の撮影レンズ１４１に鏡筒を駆動させるべき電気（駆動力）が供給される。
【００６２】
そして撮影レンズの鏡筒の一部が駆動され、撮影レンズ１４１は図９（ｂ）に示すように伸張状態１４１ｂとなる。
【００６３】
それに基づいて表示手段２４が駆動され、表示手段４には撮像素子８で撮像される像が表示され、ライブビュー撮影を可能としている。
【実施例３】
【００６４】
図１０は実施例３の要部概略図、図１１は図１０の要部ブロック図である。図１０、図１１において、４１は第３のカメラ（撮像装置）である。
【００６５】
第３のカメラ４１の筐体４１ａには、撮影レンズを着脱可能に装着するマウント４２が設けられている。又、レリーズ釦４３ａ、電源釦（電源スイッチ）４３ｂ、レンズ取り外し釦４３ｃ、などの操作ボタン４３が設けられている。
【００６６】
更に撮影レンズによって撮影される画像を表示する表示手段（ＬＣＤ）４４が設けられている。マウント４２には、撮影レンズが装着されたとき、各種のデータのやりとりが可能な電気接点４２ａが設けられている。
【００６７】
第３のカメラ４１の内部には撮影光路中にあって光路中から退避可能なハーフミラー面を有するメインミラー（可動ミラー）４５と、可動ミラー４５の回転軸４６に接続されたミラー駆動回路４７が設けられている。又、複数の画素で構成されるＣＣＤより成る撮像素子４８が設けられている。又、回路基板に形成された各種の動作を制御する電子回路（制御手段）４９が設けられている。
【００６８】
さらに、撮影レンズの焦点検出を行う焦点検出機構ＡＦとして、結像光学系５０と撮影レンズの像面上の複数の焦点検出位置に対応する複数の画素を備えた受光センサー５１が配置されている。
【００６９】
さらに、被写体像の観察用として、撮像素子４８で得られた画像を表示する内部ＬＣＤ５２、ＬＣＤ５２に表示した像を拡大表示する接眼レンズ５３を有する電子ビューファインダー５４が設けられている。
【００７０】
撮像素子４８にはハーフミラー面を有する可動ミラー４５を通過した光が常に入射している。この為電子ビューファインダー５４では、常に被写体像の観察ができる。
【００７１】
ここで、マウント４２の直後の筐体４１ａ内には可動ミラー４５を駆動させるか否かを撮影レンズの装着時に検知するミラーアップスイッチ(検知手段)５５が設けられている。
【００７２】
本実施例の可動ミラー４５は、図１０に示す如く初期設定において撮影光路中に配置されている(ミラーダウン)。第３のカメラ４１に撮影レンズを装着するとき、撮影レンズのバックフォーカスが短くて、撮影レンズの鏡筒と可動ミラー４５とが接触して可動ミラー４５をアップ(撮影光路中より退避)させなくてはならない場合がある。このときのみ、撮影レンズの鏡筒の一部がミラーアップスイッチ５５を押下するようにしている。
【００７３】
即ち、ミラーアップスイッチ５５をＯＮするようにしている。
【００７４】
電源釦４３ｂがＯＮの状態でミラーアップスイッチ５５が撮影レンズの鏡筒の一部で押下されると（ＯＮになると）、ミラーアップスイッチ駆動回路５６と電子回路４９を介しミラー駆動回路４７へ可動ミラー４５のアップを行う制御信号が送られる。
【００７５】
ミラー駆動回路４７は電子回路（制御手段）４９からの制御信号を受けて、可動ミラー４５を回転軸４６のまわりに回転し、可動ミラー４５を撮影光路中から退避させる。
【００７６】
ここで、電源釦４３ｂがＯＦＦの状態ではミラーアップスイッチ５５に撮影レンズの鏡筒の一部が接触してもミラーアップスイッチ駆動回路５６によってロックされて、押下（ＯＮ）されないようにしている。これにより撮影レンズがマウント４２に装着されないようにすることで可動ミラー４５に撮影レンズの一部が接触しないようにして可動ミラー４５の破損を防いでいる。
【００７７】
また、ミラーアップスイッチ５５が撮影レンズの鏡筒の一部で押下されると可動ミラー４５がアップする。
【００７８】
このときカメラ内電子回路４９は、焦点検出機構ＡＦの代わりに撮像素子４８からの画像データのコントラストを基に焦点検出を行う、焦点検出モードに切り替えている。
【００７９】
本実施例の第３のカメラ４１はマウント４２を介して図１２に示す第１の撮影レンズ１０１と図１３に示す第２の撮影レンズ１２１と図１４に示す第３の撮影レンズ１４１の少なくとも３種類の撮影レンズの装着が可能である。
【００８０】
図１２に示す第１の撮影レンズ１０１はバックフォーカスの長い（例えばバックフォーカスが３８mm以上）撮影レンズである。
【００８１】
図１３に示す第２の撮影レンズ１２１はバックフォーカスの短い（例えばバックフォーカスが３８ｍｍ以下）撮影レンズである。
【００８２】
図１４（ａ），（ｂ）に示す第３の撮影レンズ１４１は光学系が短縮状態１４１ａ（図１４（ａ））と伸張状態１４１ｂ（図１４（ｂ））との間で伸張可能である。そして、伸張状態１４１ｂにおいて、バックフォーカスの短い（例えばバックフォーカスが３８ｍｍ以下）撮影レンズである。
【００８３】
次に図１０の第３のカメラ４１に第１〜第３の撮影レンズ１０１、１２１、１４１を装着するときのカメラ１の動作について説明する。
【００８４】
図１２に示すように第３のカメラ４１に第１の撮影レンズ１０１を装着する場合、第１の撮影レンズ１０１の鏡筒１０４はミラーアップスイッチ５５に触れない。このため、撮影者がレリーズ釦４３ａを押すか、ライブビュー撮影モードに切り替えない限り可動ミラー５はダウンしたままである。
【００８５】
図１３に示すように第３のカメラ４１に第２の撮影レンズ１２１を装着する場合、装着の途中で第２の撮影レンズ１２１の鏡筒１２４はミラーアップスイッチ５５を押下する。このため、自動的に撮影光路中に配置されている可動ミラー４５は光路中から退避される。このとき撮像素子８で得られる像を利用した焦点検出モードに切り替わる。
【００８６】
図１４（ａ）、（ｂ）に示すように第３のカメラ４１に第３の撮影レンズ１４１を装着する場合の動作は次のとおりである。図１４（ａ）に示すように撮影レンズ１４１が短縮状態１４１ａで装着すると、撮影レンズ１４１の鏡筒１４４がミラーアップスイッチ５５に触れない。
【００８７】
このため可動ミラー４５はミラーダウンしたままとなる。この状態で図１４（ｂ）に示すように撮影レンズ１４１を伸張状態１４１ｂにすると鏡筒１４４の一部がミラーアップスイッチ５５を押し下げる。
【００８８】
これによって可動ミラー４５は光路中から退避する。このとき撮像素子８で得られる像を利用した焦点検出モードに切り替わる。
【００８９】
尚、撮影レンズ１４１を伸張状態１４１ｂとしてカメラ４１に装着しても良い。このときの動作は図１３と同じになる。
【実施例４】
【００９０】
図１５は実施例４の要部概略図、図１６は図１５の要部ブロック図である。図１５、図１６において、６１は第４のカメラ（撮像装置）である。
【００９１】
第４のカメラ６１の筐体６１ａには、撮影レンズを着脱可能に装着するマウント６２が設けられている。又、レリーズ釦６３ａ、電源釦（電源スイッチ）６３ｂ、レンズ取り外し釦６３ｃ、などの操作ボタン６３が設けられている。更に撮影レンズによって撮影される、画像を表示する表示手段（ＬＣＤ）６４が設けられている。マウント６２には、撮影レンズが装着されたとき、各種のデータのやりとりが可能な電気接点６２ａが設けられている。
【００９２】
第４のカメラ６１の内部には撮影光路中にあって光路中から退避可能なメインミラー（可動ミラー）６５と、可動ミラー６５の回転軸６６に接続されたミラー駆動回路６７と、複数の画素で構成されるＣＣＤより成る撮像素子６８が設けられている。又、回路基板に形成された各種の動作を制御する電子回路（制御手段）６９が設けられている。
【００９３】
さらに、撮影レンズの焦点検出を行う焦点検出機構ＡＦとして、結像光学系７０と撮影レンズの像面上の複数の焦点検出位置に対応する複数の画素を備えた受光センサー７１が配置されている。
【００９４】
さらに、被写体像の観察用として、撮像素子６８で得られた画像を表示する内部ＬＣＤ７２、ＬＣＤ７２に表示した像を拡大表示する接眼レンズ７３を有する電子ビューファインダー７４が設けられている。
【００９５】
ここで、マウント６２内の受信手段を構成する電気接点６２ａを介して装着された撮影レンズから、その種類に関する信号が入力される。受信手段６２ａからの信号より、電子回路６９によって、撮影レンズの種類を判別する。
【００９６】
電子回路６９によってミラーアップすべきバックフォーカスの短い撮影レンズであることを判別すると、電子回路６９はミラー駆動回路７５へミラーアップを行う制御信号を送る。
【００９７】
ミラー駆動回路７５は電子回路６９からの制御信号を受けて、可動ミラー６５を回転軸６６まわりに回転し、撮影光路中から退避する。その後、第４のカメラ６１内の電子回路６９は、焦点検出機構ＡＦの代わりに撮像素子４８からの画像データのコントラストを基に焦点検出を行う焦点検出モードに切り替えている。
【００９８】
本実施例の可動ミラー６５は、図１５に示す如く初期設定において撮影光路中に配置されている(ミラーダウン)。
【００９９】
第４のカメラ６１に撮影レンズを装着するとき、撮影レンズのバックフォーカスが短くて、撮影レンズの鏡筒と可動ミラー６５とが接触して可動ミラー６５をアップ(撮影光路中より退避)させなくてはならない場合がある。このときのみ、電気接点６５ａを介して送られてくる信号に基づいて電子回路６９は可動ミラー６５をアップするようにしている。
【０１００】
本実施例の第４のカメラ６１はマウント６２を介して図１７に示す第１の撮影レンズ１０１と図１８に示す第３の撮影レンズ１４１の少なくとも２種類の撮影レンズの装着が可能である。
【０１０１】
図１７に示す第１の撮影レンズ１０１はバックフォーカスの長い（例えばバックフォーカスが３８mm以上）撮影レンズである。
【０１０２】
図１８（ａ），（ｂ）に示す第３の撮影レンズ１４１は光学系が短縮状態１４１ａ（図１８（ａ））と伸張状態１４１ｂ（図１８（ｂ））との間で伸張可能である。そして、伸張状態１４１ｂにおいて、バックフォーカスの短い（例えばバックフォーカスが３８ｍｍ以下）撮影レンズである。
【０１０３】
さらに、第３の撮影レンズ１４１は第４のカメラ６１に未装着の状態では短縮状態１４１ａである。そして、第４のカメラ６１に装着したときは、電気接点６２ａから電気を供給されることでモータ１４６によって鏡筒の一部が駆動されて伸張状態１４１ｂへの移行が可能となっている。
【０１０４】
次に第４のカメラ６１に第１，第３の撮影レンズ１４１、１４４を装着するときの第４のカメラ６１の動作について説明する。
【０１０５】
図１７に示すように第４のカメラ６１に第１の撮影レンズ１０１を装着する場合、カメラ６１は撮影者がレリーズ釦６３ａを押さない限り可動ミラー６５はダウンしたままである。
【０１０６】
第４のカメラ６１に第３の撮影レンズ１４１を装着する場合、図１８（ａ）に示す如く短縮状態１４１ｂでカメラ６１に装着され、電子回路６９はマウント６２の電気接点６２ａを介して撮影レンズの種類を判別する。電子回路６９で撮影レンズの種類を判別後、可動ミラーのアップ動作が行われ、電気接点６２ａを介して第３の撮影レンズ１４１に鏡筒の一部を駆動させるべき電気（駆動力）が供給される。
【０１０７】
そして撮影レンズ１４１の鏡筒の一部が駆動され、撮影レンズ１４１は図１８（ｂ）に示すような伸張状態１４１ｂとなる。
【０１０８】
それに基づいて電子回路６９は焦点検出機構ＡＦの代わりに撮像素子６８からの画像データのコントラストを基に焦点検出を行う焦点検出モードに切り替えている。
【０１０９】
以上の各実施例において、各カメラとそれに装着可能な撮影レンズ、可動ミラーを駆動させるべきか否かを検知する検知手段、又は受信する受信手段、ファインダーの種類との関係を表−１に示す。
【０１１０】
表−１においてＯＶＦは光学ファインダー、ＥＶＦは電子ビューファインダーである。
【０１１１】
【表１】
2008129402.tif 000003
【０１１２】
以上の各実施例では、可動ミラーと干渉する撮影レンズの装着を検知する手段として、スイッチの押下による検知手段と、マウントの電気接点からの通信による受信手段を述べたが、カメラと撮影レンズとの間の無線通信による通信手段に変えても良い。
【０１１３】
以上のように、各実施例では、バックフォーカスの短い撮影レンズをカメラに装着して使用するときは、可動ミラーを撮影光路中から退避させて可動ミラーとの干渉を防いでいる。
【０１１４】
このとき撮像素子で得られる画像データを用いてライブビュー撮影が行えるようにしている。
【０１１５】
バックフォーカスの長い撮影レンズをカメラに装着するとき、即ち可動ミラーの撮影光路中からの退避が必要でないときは、可動ミラー駆動のための電源がＯＦＦの状態でも光学ファインダー又は電子ビューファインダーで被写体像を観察することができる。
【図面の簡単な説明】
【０１１６】
【図１】本発明の実施例１の第１のカメラの断面図
【図２】本発明の実施例１の第１のカメラの電気的な構成を示すブロック図
【図３】本発明の実施例１の第１のカメラに第１のレンズを取り付けたときの断面図
【図４】本発明の実施例１の第１のカメラに第２のレンズを取り付けたときの断面図
【図５】（ａ）本発明の実施例１の第１のカメラに短縮状態にある第３のレンズを取り付けたときの断面図          （ｂ）本発明の実施例１の第１のカメラに伸張状態にある第３のレンズを取り付けたときの断面図
【図６】本発明の実施例２の第２のカメラの断面図
【図７】本発明の実施例２の第２のカメラの電気的な構成を示すブロック図
【図８】本発明の実施例２の第２のカメラに第１のレンズを取り付けたときの断面図
【図９】（ａ）本発明の実施例２の第２のカメラに短縮状態にある第３のレンズを取り付けたときの断面図          （ｂ）本発明の実施例２の第２のカメラに伸張状態にある第３のレンズを取り付けたときの断面図
【図１０】本発明の実施例３の第３のカメラの断面図
【図１１】本発明の実施例３の第３のカメラの電気的な構成を示すブロック図
【図１２】本発明の実施例３の第３のカメラに第１のレンズを取り付けたときの断面図
【図１３】本発明の実施例３の第３のカメラに第２のレンズを取り付けたときの断面図
【図１４】（ａ）本発明の実施例３の第３のカメラに短縮状態にある第３のレンズを取り付けたときの断面図          （ｂ）本発明の実施例３の第３のカメラに伸張状態にある第３のレンズを取り付けたときの断面図
【図１５】本発明の実施例４の第４のカメラの断面図
【図１６】本発明の実施例４の第４のカメラの電気的な構成を示すブロック図
【図１７】本発明の実施例４の第４のカメラに第１のレンズを取り付けたときの断面図
【図１８】（ａ）本発明の実施例４の第４のカメラに短縮状態にある第３のレンズを取り付けたときの断面図          （ｂ）本発明の実施例４の第４のカメラに伸張状態にある第３のレンズを取り付けたときの断面図
【符号の説明】
【０１１７】
１，２１，４１，６１  カメラ
２，２２，４２，６２  カメラ側マウント
４，２４，４４，６４  ＬＣＤ
５，２５  メインミラー
６，２６  メインミラー回転軸
７，２７，４７，６７  ミラー駆動回路
８，２８，４８，６８  ＣＣＤ撮像素子
９，２９，４９，６９  カメラ内電子回路
１３，３３  ファインダー光学系
１４，５５  ミラーアップスイッチ
１５，５６  ミラーアップスイッチ駆動回路
４５，６５  ハーフミラー
４６，６６  ハーフミラー回転軸
５４，７４  電子ビューファインダー
１０１，１２１，１４１ａ，１４１ｂ  撮影レンズ
１０２，１２２，１４２  撮影光学系
１０４，１２４，１４４  鏡筒
１０５，１２５，１４５  レンズ側マウント
【図６】
2008129402.tif 000004
【図１】
2008129402.tif 000005
【図２】
2008129402.tif 000006
【図３】
2008129402.tif 000007
【図４】
2008129402.tif 000008
【図５】
2008129402.tif 000009
【図７】
2008129402.tif 000010
【図８】
2008129402.tif 000011
【図９】
2008129402.tif 000012
【図１０】
2008129402.tif 000013
【図１１】
2008129402.tif 000014
【図１２】
2008129402.tif 000015
【図１３】
2008129402.tif 000016
【図１４】
2008129402.tif 000017
【図１５】
2008129402.tif 000018
【図１６】
2008129402.tif 000019
【図１７】
2008129402.tif 000020
【図１８】
2008129402.tif 000021